(57)【特許請求の範囲】
【請求項１】
一対の入力円板と、各入力円板にそれぞれ対向する一対の出力円板と、対応する入力円板と出力円板の間に形成されるトロイド状間隙にそれぞれまたがって配置される一対の回転子と、各一対の入力円板及び出力円板の中心を貫き入力円板に一体回転可能に連結される入力軸とを備え、一対の出力円板はそのトロイダル状軌道面の背面同士を対向して配置され、一対の出力円板の軌道面間の中央位置の径方向内方の入力軸上に、一対の出力円板を一括して支持する転がり軸受が設けられたトロイダル型無段変速機において、
上記入力軸の転がり軸受を挟んだ両側の周面の一方に、潤滑油を転がり軸受に供給するためのらせん状の供給溝が形成され、他方に、供給溝から供給されて転がり軸受に滞留する潤滑油を排出する排出溝が形成されることを特徴とするトロイダル型無段変速機。
【発明の詳細な説明】
【０００１】
【発明の属する技術分野】
本発明は入力円板と出力円板の間に形成されるトロイダル状間隙にまたがって回転子を配置するバリエータを有するトロイダル型無段変速機に関するものである。
【０００２】
【従来の技術】
この種のトロイダル型無段変速機のバリエータでは、位置可変の複数群の回転子が、互いに反対方向に回転する入力用及び出力用の同軸円板の対向する面に形成された一部トロイド状の対応する軌道面間で牽引力を伝えるものである。入力円板及び出力円板は、動力源に連なる入力軸を挿通させる中心孔を有しており、入力円板が入力軸に一体回転可能に連結されると共に、出力円板が入力軸に回転自在に支持されている。
【０００３】
上記の入力円板から出力円板に伝えられる回転速度は、回転子の位置が変わると変化する。すなわち、回転子が相対的に高い半径位置で入力円板と接触すると共に、相対的に低い半径位置で出力円板と接触する場合、出力円板は入力円板よりも早く回転し、バリエータは高ギヤ比に設定される。
一方、回転子が相対的に低い半径位置で入力円板と接触すると共に、相対的に高い半径位置で出力円板と接触する場合、出力円板は入力円板よりも遅く回転し、バリエータは低ギヤ比に設定される。
【０００４】
また、通例、バリエータは、上記入力円板、出力円板及び回転子の組を一対設ける、いわゆるダブルキャビテヤィ型とされている。この場合、各組の出力円板は互いにトロイダル状軌道面の背面を対向させて配置され、両出力円板の背面同士の間にこれらを一体回転可能に連結する出力部を介在している。この出力部の外周面にはチェーンと噛み合うスプロケットギヤが形成され、出力部の内周面と入力軸との間には出力部を介して両出力円板を一括して支持する円筒ころ軸受等の転がり軸受が配置される。
【０００５】
【発明が解決しようとする課題】
一方、回転子の外周の転動面には潤滑油を直接噴射して潤滑油が供給されるようになっており、これにより回転子の軌道面に対する転動が潤滑される。潤滑油はトロイダル状間隙の略全体に霧散して各円板の軌道面やトロイダル状間隙に対向する入力軸の周面に付着するものの、上記の転がり軸受の潤滑には寄与できないという問題がある。というのは、転がり軸受の両側には一対の出力円板が配置されており、これらの出力円板に妨げられて潤滑油が転がり軸受に到達し難いからである。
【０００６】
本発明は上記課題に鑑みてなされたものであり、本発明の目的は一対の出力円板を一括して支持する軸受の寿命を向上することができるトロイダル型無段変速機を提供することである。
【０００７】
【課題を解決するための手段及び発明の効果】
上記目的を達成するための課題解決手段として、請求項１記載の発明は、一対の入力円板と、各入力円板にそれぞれ対向する一対の出力円板と、対応する入力円板と出力円板の間に形成されるトロイド状間隙にそれぞれまたがって配置される一対の回転子と、各一対の入力円板及び出力円板の中心を貫き入力円板に一体回転可能に連結される入力軸とを備え、一対の出力円板はそのトロイダル状軌道面の背面同士を対向して配置され、一対の出力円板の軌道面間の中央位置の径方向内方の入力軸上に、一対の出力円板を一括して支持する転がり軸受が設けられたトロイダル型無段変速機において、上記入力軸の転がり軸受を挟んだ両側の周面の一方に、潤滑油を転がり軸受に供給するためのらせん状の供給溝が形成され、他方に、供給溝から供給されて転がり軸受に滞留する潤滑油を排出する排出溝が形成されることを特徴とするものである。
【０００８】
本発明では、潤滑油の軌道面への直接噴射により供給されてトロイド状間隙に対向する入力軸の周面に付着した潤滑油が、入力軸の回転に伴い、らせん状の供給溝に案内されて転がり軸受側へ送られる。これにより、一対の出力円板の軌道面間の中央位置の径方向内方にあって、従来であれば潤滑油が到達し難い転がり軸受に対して、十分な潤滑油を供給することができ、その結果、軸受寿命を向上することができる。
【０００９】
しかも、供給溝から転がり軸受に供給した潤滑油を排出溝を介して排出することができるので、転がり軸受に対して適正な量の潤滑油を与えることができ、潤滑過多になることがない。
【００１０】
【発明の実施の形態】
本発明の好ましい実施の形態を添付図面を参照しつつ説明する。
図１は本発明の一実施の形態のトロイダル型無段変速機のバリエータの概略断面図である。図１を参照して、本バリエータ１は車両の動力源２により駆動される入力軸３を備えており、入力軸３の一端には動力源２に連結するためのスプライン４が形成されている。入力軸３はその両端近傍にそれぞれ入力円板５，６を支持している。これらの入力円板５，６はキー７を用いて入力軸３に結合され、これにより、入力円板５，６の入力軸３に対する回転が阻止されている。キー結合であるため、入力軸３と入力円板５，６の間には限られた範囲での相対的軸方向移動が許容されている。これは適当な油圧動力源８と連結した油圧シリンダ９により入力円板６を他方の入力円板５側へ付勢することにより、バリエータ１に所要の「端末負荷」を加えるためである。なお、キー結合に代えてスプライン結合を用いても良い。
【００１１】
入力軸３の軸方向中央部には環状をなすバリエータの出力部１０が支持されている。この出力部１０は、例えば円筒ころ軸受からなる転がり軸受１１により回転自在に支持される出力部材１２と、この出力部材１２の両端面にそれぞれ一体回転可能に支持された出力円板１３，１４とを備えている。すなわち両出力円板１３，１４の一部トロイダル状の軌道面１８，１８の背面４１同士の間に出力部材１２が挟持されている。転がり軸受１１は出力部材１２の内周に固定される外輪４２と、入力軸３の周面３ａに固定される内輪４３と、内外輪４２，４３間に介在する複数の円筒ころ等の転動体４４とを含んでいる。
【００１２】
出力部材１２の外周にはチェーンと噛み合うスプロケットギヤ１５が形成されている。出力部材１２の内周と入力軸３の中央部周面の間には上記の転がり軸受１１が介在しており、これにより出力部１０全体が、転がり軸受１１に支持された状態で入力軸３の周面３ａとの間に隙間を設けて入力軸３の回りを回転する。１６は出力円板１３，１４の内周に嵌め入れられたカラーであり、カラー１６の内周面と入力軸３の周面３ａとの間に環状の隙間が設けられている。
【００１３】
対応する入力円板５，６と出力円板１３，１４との間は、一部トロイダル状の間隙Ｓに形成されており、入力円板５，６上の一部トロイダル状の軌道面１７と、出力円板１３，１４上の一部トロイダル状の軌道面１８との間で複数群の回転子としてのローラ１９を介して牽引力を伝達する。ローラ１９はキャリッジ２０により回動軸線Ｋの回りに回転自在に支持されている。
入力軸３の周面３ａには、上記のカラー１６に対向する部分よりも少し広い範囲にわたってらせん状の供給溝２２および排出溝４０が形成されている。供給溝２２は、トロイダル状間隙Ｓに対向する入力軸３の周面に付着した潤滑油を転がり軸受１１に供給する働きをし、排出溝４０は排出する働きをする。このため、供給溝２２および排出溝４０は同方向に巻かれ、且つ傾斜方向も同じとされている。
【００１４】
入力円板５と出力円板１３との間には何組かのローラ／キャリッジが介在しているが、図１では１組だけを示してある。入力円板６と出力円板１４との間にも同様に１組だけ図示してある。実際には、１組の円板の間に３個１組のローラが設けられているのが普通であり、この３個のローラは、入力軸３の中心軸線２３を中心とする円周上の等間隔に配置される。６個のローラの位置はすべて共通の油圧制御装置により制御され、運転中は常時等しい変速比を伝達するようになっている。各ローラ１９の中心２４は軌道面１７，１８の共通トーラスの想像上の中心円２５上にあるように設定されているが、作動上は、この円に沿って前後に限られた範囲で移動することができる。油圧回路２６は後述する油圧シリンダ３１を含みキャリッジ２０を介してローラ１９の位置を制御するものである。
【００１５】
次いで、ローラ１９とこれを支持するキャリッジ２０の要部を示す概略図である図２を参照して、キャリッジ２０はローラ１９の支軸２７を回転自在に支持するための転がり軸受２８を取り付けた第１の部分２９と、この第１の部分２９に固定された中空のリンクシャフトの形態を呈する第２の部分３０とを含んでいる。第２の部分３０は油圧シリンダ３１内で移動自在なピストン３２に連結されている。油圧シリンダ３１はピストン３２がローラ１９に及ぼす力を制御し、この力がローラ１９が受けるトルク反力とバランスするようになっている。
【００１６】
第１の部分２９は、ローラ１９の両端面に対して所定の隙間を設けて対向する一対の対向板３３，３４を有しており、これら対向板３３，３４同士はローラ１９の周面３５の一部に所定の隙間を設けて対向する端板３６で互いに連結されている。この端板３６がリンクシャフトとしての第２の部分３０の端部に固定されている。また、端板３６には、圧送ポンプ３７によって中空シャフトからなる第２の部分３０の内部の通路３８を通して送られる潤滑油をローラ１９の周面３５に供給するためのポート３９が開口されている。
【００１７】
本実施の形態によれば、トロイド状間隙Ｓに対向する入力軸３の周面３ａに付着した潤滑油が、入力軸３の回転に伴い、らせん状の供給溝２２に案内されて転がり軸受１１側へ送られる。これにより、一対の出力円板１３，１４間にある出力部材１２の径方向内方にあって、従来であれば潤滑油が到達し難い転がり軸受１１に対して、十分な潤滑油を供給することができ、その結果、軸受寿命を向上することができる。
【００１８】
また、転がり軸受１１を挟んだ両側に設けられた一対の供給溝から潤滑油を供給した場合に潤滑過多となるおそれがある場合であって、本実施の形態のように、それら一対の供給溝の何れか一方を排出溝４０に変更することにより、潤滑過多のおそれをなくすことができる。
【００１９】
その他、本発明の範囲で種々の変更を施すことができる。
【図面の簡単な説明】
【図１】本発明の一実施の形態のトロイダル型無段変速機のバリエータの概略断面図である。
【図２】ローラ及びキャリッジの概略断面図である。
【符号の説明】
１  バリエータ、
３  入力軸
３ａ  周面
５，６  入力円板
１０  出力部
１１  転がり軸受
１２  出力部材
１３，１４  出力円板
１７，１８  軌道面
１９  ローラ（回転子）
２０  キャリッジ
２２  供給溝
４０排出溝
４１背面
【図１】
0003705719.tif 000002
【図２】
0003705719.tif 000003